(57)【要約】【課題手段】建物自動化システムの動作方法は、少なくとも一の特定の建物区画環境、及び／又は特定の建物区画環境変化を得るために実行される少なくとも一の時間及び／又は消費エネルギーを表す、少なくとも一の情報を提供し、及び／又は収集するステップ、少なくとも一の情報を使用し、達成すべき少なくとも一の建物区画環境、及び／又は建物区画環境変化を得るために必要な、少なくとも一の時間及び／又は消費エネルギーを決定するステップ、及び／又は少なくとも一の情報を使用し、達成すべき少なくとも一の建物区画環境、及び／又は建物区画環境変化を、時間的に最適化して及び／又はエネルギー的に最適化して得る、又はユーザが指定可能な設定で得るために用いられる、建物区画環境に影響を与える少なくとも一の手段を決定するステップを含む。さらに、特に対応する建物自動化システム及び対応するコンピュータプログラムを提供する。【選択図】図２
2013545071.tif 000002
【特許請求の範囲】
【請求項１】
好ましくは少なくとも一の建物区画の空気調節を行うための、特に建物区画環境に影響を与える少なくとも一の手段又は建物自動化システムの少なくとも一の機能部をコントロール又はモニタするための、建物自動化システムの動作方法であって、
少なくとも一の特定の建物区画環境、及び／又は少なくとも一の特定の建物区画環境変化を得る又は保持するために実行される少なくとも一の時間及び／又は消費エネルギーを表す、少なくとも一の情報を提供し、及び／又は収集するステップ(S0)、
前記少なくとも一の情報を使用し、達成すべき又は既に達成された少なくとも一の建物区画環境、及び／又は達成すべき又は既に達成された少なくとも一の建物区画環境変化を得る又は保持するために必要な、少なくとも一の時間及び／又は消費エネルギーを決定し(S3.1)、好ましくは表示するステップ、及び／又は
前記少なくとも一の情報を使用し、達成すべき又は既に達成された少なくとも一の建物区画環境、及び／又は達成すべき又は既に達成された少なくとも一の建物区画環境変化を、時間的に最適化して及び／又はエネルギー的に最適化して得る又は保持する、又はユーザが指定可能な設定で得る又は保持するために用いられる、建物区画環境に影響を与える少なくとも一の手段を決定するステップ(S3.2)
を含むことを特徴とする動作方法。
【請求項２】
請求項１に記載の動作方法であって、
前記必要な時間が、最小時間であり、かつ／又は
前記必要な消費エネルギーが、最小消費エネルギーであることを特徴とする動作方法。
【請求項３】
請求項１又は２に記載の動作方法であって、さらに
いずれの建物区画環境又は建物区画環境変化を達成すべきかに関するユーザコマンド情報を読み取るステップ(S5)、
達成すべき建物区画環境、及び／又は達成すべき建物区画環境変化をいつ達成すべきかに関するユーザコマンド情報を読み取るステップ(S5)、
達成すべき又は既に達成された建物区画環境、及び／又は達成すべき又は既に達成された建物区画環境変化を、最小時間で、又は最小消費エネルギーで、あるいは最小時間と最小消費エネルギーとの間の設定のいずれかで、得る又は保持することができたかどうかを決定するためにユーザコマンド情報を読み取り(S5)、読み取ったユーザコマンド情報に基づいて、達成すべき又は既に達成された建物区画環境、及び／又は達成すべき又は既に達成された建物区画環境変化を、得る又は保持するステップ
の内、少なくとも一のステップを含むことを特徴とする動作方法。
【請求項４】
請求項１〜３のいずれか一に記載の動作方法であって、
特定の建物区画環境、及び／又は達成すべき又は既に達成された建物区画環境は、
少なくとも一の建物区画環境の所望の値、
少なくとも一の建物区画環境の所望の値の範囲、
少なくとも二の建物区画環境の所望の値を含む、少なくとも一の建物区画環境の所望の予定過程
の内、少なくとも一を含むことを特徴とする動作方法。
【請求項５】
請求項１〜４のいずれか一に記載の動作方法であって、
特定の建物区画環境変化及び／又は達成すべき又は既に達成された建物区画環境変化は、
達成すべき少なくとも一の建物区画環境の所望の変化、
少なくとも二の建物区画環境の所望の変化を含む、少なくとも一の建物区画環境の所望の変化の予定過程
の内、少なくとも一を含むことを特徴とする動作方法。
【請求項６】
請求項１〜５のいずれか一に記載の動作方法であって、
前記提供し、及び／又は収集するステップは、
建物自動化システムの動作の際に少なくとも一時的に及び／又は反復的に、かつ／又は
ユーザが指定可能な間隔で、又はユーザが指定可能な時間で、かつ／又は
建物区画環境に影響を与える一の手段が実行されたとき、かつ／又は
建物区画環境に影響を与える少なくとも一の手段を実行する前又は実行する際に、
行われてなることを特徴とする動作方法。
【請求項７】
請求項１〜６のいずれか一に記載の動作方法であって、
野外環境及び／又は建物区画環境を表す少なくとも一のパラメータを検出し、かつ／又は読み取るステップ、
建物区画環境に影響を与える少なくとも一の手段の状況又は動作状態を表す少なくとも一のパラメータを検出し、かつ／又は読み取るステップ、
建物区画環境に影響を与える少なくとも一の手段の消費エネルギー、空気調節効率及び／又は性能状態を表す少なくとも一のパラメータを検出し、かつ／又は読み取るステップ、
予測される野外環境及び／又は建物区画環境を表す少なくとも一のパラメータを検出し、かつ／又は読み取るステップ、
気象データ及び／又は気象予報データを読み取り、かつ／又は検索するステップ、
建物の位置における太陽高度データを読み取り、かつ／又は計算するステップ、
一般的な暦データ及び／又はユーザに指定された日程データを読み取り、かつ／又は検索するステップ、
の内、少なくとも一のステップを含むことを特徴とする動作方法。
【請求項８】
請求項１〜７のいずれか一に記載の動作方法であって、
前記提供するステップ(S0)及び／又は決定するステップ(S3.1,S3.2)において、
建物区画環境に影響を与える少なくとも一の手段の少なくとも一の効果、
少なくとも一の検出されたかつ／又は読み取られたパラメータ、
読み取られたかつ／又は検索された気象データ及び／又は気象予報データ、
読み取られたかつ／又は計算された太陽高度データ、
読み取られたかつ／又は検索された一般的な暦データ及び／又はユーザに指定された日程データ、
の内、少なくとも一を考慮してなることを特徴とする動作方法。
【請求項９】
請求項１〜８のいずれか一に記載の動作方法であって、
決定、及び／又は読取、及び／又は検索は、
建物自動化システムの動作の際に少なくとも一時的に、かつ／又は
ユーザが指定可能な間隔で、又はユーザが指定可能な時間で、かつ／又は
建物区画環境に影響を与える一の手段が実行されたとき、かつ／又は
建物区画環境に影響を与える少なくとも一の手段を実行する前又は実行する際に、
行われてなることを特徴とする動作方法。
【請求項１０】
請求項１〜９のいずれか一に記載の動作方法であって、さらに
時間的に最適化して及び／又はエネルギー的に最適化して達成すべき又は既に達成された少なくとも一の建物区画環境、及び／又は達成すべき又は既に達成された建物区画環境変化を得る又は保持するために、又はユーザが指定可能な設定で得る又は保持するために、建物区画環境に影響を与える少なくとも一の手段を実行するかつ／又は調整するステップ(S6)を含むことを特徴とする動作方法。
【請求項１１】
請求項１〜１０のいずれか一に記載の動作方法であって、さらに
ユーザが指定可能な時間で、達成すべき少なくとも一の建物区画環境、及び／又は達成すべき建物区画環境変化を得るために、必要な時間及び／又は消費エネルギーを決定し、好ましくは表示するステップを含むことを特徴とする動作方法。
【請求項１２】
請求項１〜１１のいずれか一に記載の動作方法であって、さらに
建物区画の無駄な環境調節を行わないために、ユーザが指定可能な時間で達成すべき少なくとも一の建物区画環境、及び／又は達成すべき少なくとも一の建物区画環境変化が達成されるよう、建物区画環境に影響を与える少なくとも一の手段を作動させる、可能な限り遅い時間を決定するステップを含むことを特徴とする動作方法。
【請求項１３】
請求項１２に記載の動作方法であって、さらに
前記建物区画環境に影響を与える少なくとも一の手段を、可能な限り遅い時間に自動的に作動させるステップを含むことを特徴とする動作方法。
【請求項１４】
請求項１〜１３のいずれか一に記載の動作方法であって、さらに
達成すべき建物区画環境、及び／又は達成すべき建物区画環境変化を得るために、どれくらいの時間がさらに必要であるか、及び／又はどれくらいのエネルギーがさらに必要であるかを決定し、好ましくは表示するステップを含むことを特徴とする動作方法。
【請求項１５】
請求項１〜１４のいずれか一に記載の動作方法であって、
前記建物区画環境に影響を与える少なくとも一の手段は、空気調節機能及び／又は空気調節部、特に、暖房、冷房、換気、遮光率の変更、照明率の変更、湿度の変更、ＣＯ２濃度の変更、暖房器、空調部、換気部、熱回収部、遮光部、照明部、窓開閉部の内、少なくとも一を含むことを特徴とする動作方法。
【請求項１６】
請求項１〜１５のいずれか一に記載の動作方法であって、
少なくとも一の特に実質的に現在検出されている周辺条件、
少なくとも一の変化している周辺条件、又は少なくとも一の実質的に現在変化した周辺条件、
建物区画環境に影響を与える少なくとも一の手段の少なくとも一の効果、
少なくとも一の検出されたかつ／又は読み取られたパラメータ、
読み取られたかつ／又は検索された気象データ、及び／又は気象予報データ、
読み取られたかつ／又は計算された太陽高度データ、
読み取られたかつ／又は検索された一般的な暦データ、及び／又はユーザに指定された日程データ、
少なくとも一のユーザが指定した設定
の内、少なくとも一に基づいて、又は応答して建物区画環境に影響を与える少なくとも一の手段を実行し、かつ／又は調整するステップ
を含むことを特徴とする動作方法。
【請求項１７】
請求項１〜１６のいずれか一に記載の動作方法であって、
建物自動化システムの少なくとも二の機能部、及び／又は建物区画環境に影響を与える少なくとも二の手段を、同じコントロール回路及び／又はモニタ回路を用いてコントロールし、かつ／又はモニタするステップを含むことを特徴とする動作方法。
【請求項１８】
特に請求項１〜１７のいずれか一に記載の動作方法を実行するための建物自動化システム又はコントロールシステムであって、
少なくとも一の特定の建物区画環境、及び／又は少なくとも一の特定の建物区画環境変化を得る又は保持するために実行される少なくとも一の時間及び／又は消費エネルギーを表す、少なくとも一の情報を提供し、及び／又は収集するよう構成される提供ユニット及び／又は収集ユニット(10)、
少なくとも一の情報を使用し、達成すべき又は既に達成された少なくとも一の建物区画環境、及び／又は達成すべき又は既に達成された少なくとも一の建物区画環境変化を得る又は保持するために必要な、少なくとも一の時間及び／又は消費エネルギーを決定する決定ユニット(20)、及び／又は
少なくとも一の情報を使用し、達成すべき又は既に達成された少なくとも一の建物区画環境、及び／又は達成すべき又は既に達成された少なくとも一の建物区画環境変化を、時間的に最適化して及び／又はエネルギー的に最適化して得る又は保持する、又はユーザが指定可能な設定で得る又は保持するために用いられる、建物区画環境に影響を与える少なくとも一の手段を決定する決定ユニット(20)
を備えてなることを特徴とするシステム。
【請求項１９】
請求項１８に記載のシステムであって、
前記必要な時間は最小時間であり、かつ／又は
前記必要な消費エネルギーは最小消費エネルギーである
ことを特徴とするシステム。
【請求項２０】
請求項１８又は１９に記載のシステムであって、さらに
いずれの建物区画環境又は建物区画環境変化を達成すべきかに関するユーザコマンド情報を読み取る読取ユニット(30)、
達成すべき建物区画環境、及び／又は達成すべき建物区画環境変化をいつ達成すべきかに関するユーザコマンド情報を読み取る読取ユニット(30)、
達成すべき又は既に達成された建物区画環境、及び／又は達成すべき又は既に達成された建物区画環境変化を、最小時間で、又は最小消費エネルギーで、又は最小時間と最小消費エネルギーの間でユーザが指定可能な設定のいずれかで、得る又は保持するか決定するために、ユーザコマンド情報を読み取り(S5)、読み取ったユーザコマンド情報に基づいて、達成すべき又は既に達成された建物区画環境、及び／又は達成すべき又は既に達成された建物区画環境変化を得る又は保持する読取ユニット(30)
の内、少なくとも一を備えてなることを特徴とするシステム。
【請求項２１】
請求項１８〜２０のいずれか一に記載のシステムであって、
建物自動化システムの動作の際に少なくとも一時的に及び／又は反復的に、かつ／又は
ユーザが指定可能な間隔で、又はユーザが指定可能な時間で、かつ／又は
建物区画環境に影響を与える一の手段が実行されたとき、かつ／又は
建物区画環境に影響を与える少なくとも一の手段を実行する前又は実行する際に、
前記提供及び／又は決定を実行するよう提供ユニット(10)及び／又は決定ユニット(20)が構成されてなることを特徴とするシステム。
【請求項２２】
請求項１８〜２１のいずれか一に記載のシステムであって、
野外環境及び／又は建物区画環境を表す少なくとも一のパラメータを検出し、かつ／又は読み取るよう構成される検出ユニット及び／又は読取ユニット、
建物自動化システムの少なくとも一の機能部の消費エネルギー、空気調節効率及び／又は性能状態を表す少なくとも一のパラメータを検出し、かつ／又は読み取るように構成された検出ユニット及び／又は読取ユニット、
予測される野外環境及び／又は建物区画環境を表す少なくとも一のパラメータを読み取るよう構成された読取ユニット、
気象データ及び／又は気象予報データを読み取り、かつ／又は検索するよう構成された検出ユニット及び／又は読取ユニット、
建物の位置における太陽高度データを読み取り、かつ／又は計算する読取かつ／又は計算ユニット、
一般的な暦データ及び／又はユーザに指定された日程データを読み取り、かつ／又は検索するよう構成される読取かつ／又は検索ユニット
の内、少なくとも一を備えてなることを特徴とするシステム。
【請求項２３】
請求項１８〜２２のいずれか一に記載のシステムであって、
建物区画環境に影響を与える少なくとも一の手段の少なくとも一の効果、
少なくとも一の検出されたかつ／又は読み取られたパラメータ、
読み取られたかつ／又は検索された気象データ、及び／又は気象予報データ、
読み取られたかつ／又は計算された太陽高度データ、
読み取られたかつ／又は検索された一般的な暦データ、及び／又はユーザに指定された日程データ、
の内、少なくとも一を考慮して、前記提供及び／又は決定を実行するよう提供ユニット(10)及び／又は決定ユニット(20)が構成されてなることを特徴とするシステム。
【請求項２４】
請求項１８〜２３のいずれか一に記載のシステムであって、
建物自動化システムの動作の際に少なくとも一時的に、かつ／又は
ユーザが指定可能な間隔で、又はユーザが指定可能な時間で、かつ／又は
少なくとも一の建物区画環境値に影響を与える一の手段が実行されたとき、かつ／又は
建物区画環境に影響を与える少なくとも一の手段を実行する前又は実行する際に、
前記決定及び／又は読み取り及び／又は検索を実行するよう、決定ユニット及び／又は読取ユニット及び／又は検索ユニットが構成されてなることを特徴とするシステム。
【請求項２５】
請求項１８〜２４のいずれか一に記載のシステムであって、さらに
ユーザが指定可能な時間で、達成すべき少なくとも一の建物区画環境、及び／又は達成すべき建物区画環境変化を得るために、必要な時間及び／又は消費エネルギーを決定するよう構成される決定ユニットを備えてなることを特徴とするシステム。
【請求項２６】
請求項１８〜２５のいずれか一に記載のシステムであって、さらに
建物区画の無駄な環境調節を行わないために、達成すべき少なくとも一の建物区画環境、及び／又は達成すべき少なくとも一の建物区画環境変化が得られるよう、建物区画環境に影響を与える少なくとも一の手段を作動させる、可能な限り遅い時間を決定するよう構成された決定ユニット(20)を備えてなることを特徴とするシステム。
【請求項２７】
請求項２６に記載のシステムであって、さらに
区画環境に影響を与える少なくとも一の手段を、可能な限り遅い時間に自動的に作動させるよう構成される作動ユニットを備えてなることを特徴とするシステム。
【請求項２８】
請求項１８〜２７のいずれか一に記載のシステムであって、
時間的に最適化して及び／又はエネルギー的に最適化して、達成すべき又は既に達成された少なくとも一の建物区画環境、及び／又は達成すべき又は既に達成された建物区画環境変化を得る又は保持するために、又はユーザが指定可能な設定で得る又は保持するために、建物区画環境に影響を与える少なくとも一の手段をコントロールするよう、前記決定ユニットが構成されており、かつ／又はコントロールユニットが備えられてなることを特徴とするシステム。
【請求項２９】
請求項１８〜２８のいずれか一に記載のシステムであって、
少なくとも一の、特に実質的に現在検出されている周辺条件、
少なくとも一の変化している周辺条件、又は少なくとも一の実質的に現在変化した周辺条件、
建物区画環境に影響を与える少なくとも一の手段の少なくとも一の効果、
少なくとも一の検出され、及び／又は読み取られたパラメータ、
読み取られ、及び／又は検索された気象データ、及び／又は気象予報データ、
読み取られ、及び／又は計算された太陽高度データ、
読み取られ、及び／又は検索された一般的な暦データ、及び／又はユーザに指定された日程データ、
少なくとも一のユーザが指定した設定
の内、少なくとも一に基づいて又は応答して、建物区画環境に影響を与える少なくとも一の手段をコントロールするよう、前記決定ユニットが構成されており、かつ／又はコントロールユニットが備えられてなることを特徴とするシステム。
【請求項３０】
請求項１８〜２９のいずれか一に記載のシステムであって、さらに
決定された情報、計算された情報、検索された情報、検出された情報、及び／又は読み取られた情報をユーザに表示する表示部、
センサによる、建物区画環境の検出、屋外環境の検出、及び／又は消費エネルギーの検出、及び／又は空気調節効率の検出、及び／又は建物区画環境に影響を与える少なくとも一の手段の性能状態の検出を行う検出部、
提供された情報、計算された情報、検出された情報、及び／又は読み取られた情報を記憶するかつ／又は提供する情報メモリ
の内、少なくとも一を備えてなることを特徴とするシステム。
【請求項３１】
特に建物区画環境に影響を与える少なくとも一の手段又は建物自動化システムの少なくとも一の機能部をコントロール又はモニタするためのコンピュータプログラムであって、該コンピュータプログラムがデータ処理ユニット又はコントロールシステムによって実行されることにより、
少なくとも一の特定の建物区画環境、及び／又は少なくとも一の特定の建物区画環境変化を、得る又は保持するために実行される少なくとも一の時間及び／又は消費エネルギーを表す、少なくとも一の情報を提供し、及び／又は収集するステップ、
少なくとも一の情報を使用し、達成すべき又は既に達成された少なくとも一の建物区画環境、及び／又は達成すべき又は既に達成された少なくとも一の建物区画環境変化を得る又は保持するために必要な、少なくとも一の時間及び／又は消費エネルギーを決定し好ましくは表示するステップ、及び／又は
少なくとも一の情報を使用し、達成すべき又は既に達成された少なくとも一の建物区画環境、及び／又は達成すべき又は既に達成された少なくとも一の建物区画環境変化を、時間的に最適化して、及び／又はエネルギー的に最適化して得る又は保持する、又はユーザが指定可能な設定で得る又は保持するために用いられる、建物区画環境に影響を与える少なくとも一の手段を決定するステップ
の内、少なくとも一をコンピュータに実行させてなることを特徴とするコンピュータプログラム。
【請求項３２】
請求項３１に記載のコンピュータプログラムであって、該プログラムがデータ処理ユニット又はコントロールシステムによって実行されることにより、請求項１〜１７のいずれか一に記載のステップが、好ましくは請求項１８〜３０のいずれか一に記載の機能ユニット及び／又は機能部によって実行されてなることを特徴とするコンピュータプログラム。
【請求項３３】
前記ステップを実行する命令を備えてなる請求項３１又は３２に記載のコンピュータプログラム。
【請求項３４】
請求項３１〜３３のいずれか一に記載のコンピュータプログラムを記録したコンピュータ、データ処理ユニット、コントロールシステム又はコンピュータで読み取り可能な媒体。
【発明の詳細な説明】
【技術分野】
【０００１】
本発明は、建物自動化システムの動作方法、及び対応する建物自動化システム、コントロールシステム、コンピュータプログラム、コンピュータプログラム製品、コンピュータで読み取り可能な製品及び対応するコンピュータ又はマイクロコントローラもしくはプロセッサ等の対応するデータ処理ユニットに関する。
【背景技術】
【０００２】
家屋すなわち建物自動化システムの従来技術として、一以上の室内環境パラメータを、ユーザの要望又は集約的に決められた条件に適切に調整可能なコントロールシステムが知られている。
【先行技術文献】
【特許文献】
【０００３】
【特許文献１】米国特許出願公開第２００３／１４９５３９号明細書
【特許文献２】欧州特許出願公開第２００９３５８Ａ２号明細書
【発明の概要】
【発明が解決しようとする課題】
【０００４】
既知のコントロールシステムの欠点の一は、室内環境に影響を与えるすべての理論上可能な手段又は該手段の組み合わせが考慮されている訳ではなく、利用可能でもないことが挙げられる。多くの場合は、各室内環境パラメータに対して一の専用コントロール回路が対応付けられている。例えば、暖房コントロール回路は、実際の温度を検出し、所望の温度がどの程度であるかを照会し、暖房や冷房等の手段を実施し、実際の値を所望の値にコントロールする。例えば、所望の値を超えたと判断した場合、対応する手段が実行される（冷房）。しかしながら、この問題に対するエネルギー効率の良い解決策となる他の手段（例えば遮光）があるにもかかわらず、現実には考慮されていない。したがって、従来の建物自動化システムはエネルギー効率良く機能していない場合が多い。なぜなら、室内環境に影響を与える手段同士の連携が不十分であったり、又は総合的に連携されていないからである。
【０００５】
さらに、従来のコントロールシステムでは、所望の建物区画環境を達成し保持するために必要な時間及びエネルギーを検出していない。したがって、従来のコントロールシステムでは、特にエネルギー効率が良い、又は特に時間的に早いのいずれかで、室内を調節できるかどうかを判断することができない。
【０００６】
また従来のコントロールシステムでは、省エネルギー値を高めるために、コントロールシステムを、建物毎に（例えば配置、遮光、熱慣性等）プログラムしパラメータ化する必要がある。このパラメータの決定には、複雑でコストのかかるシミュレーションプロセスを用いる必要がある。
【０００７】
上述の通り、上記問題や欠点の解決すなわち克服が望まれていることは、本開示から当業者には明らかであろう。本発明は、従来技術のこのような要求、及び本開示から当業者に理解されるその他の要求に関するものである。
【課題を解決するための手段及び発明の効果】
【０００８】
特に独立請求項の特徴により、上記問題や欠点を解決すなわち克服すべき目的が達成できる。ただ本発明は、はじめに引用した従来技術の問題や欠点のすべてを改善する態様に限定されるものでない。また本発明は、以下に説明する発明に係る例示的な態様を包括的に保護することを求めるものである。
【０００９】
本発明は、例えば少なくとも一の建物区画の空気調節を行うための、及び／又は建物区画環境に影響を与える少なくとも一の手段又は建物自動化システムの少なくとも一の機能部（例えばセンサ、電気消費器、機能ユニット等）をコントロールする（例えば開ループ又は閉ループコントロール）又はモニタするための、及び／又は好ましくは建物区画環境（室内環境）又は屋外環境を表すパラメータをセンサにより検出するための、建物つまり家屋自動化システムの動作方法を提供する。
【００１０】
好ましい例示的な態様では、少なくとも一の特定の建物区画環境、及び／又は少なくとも一の特定の建物区画環境変化を得る、又は保持するための少なくとも一の実行（稼働）時間を表す、少なくとも一の情報（特に学習に基づく情報、及び／又は建物区画環境状態情報、以下「学習情報」という。）を提供（特に決定）する、かつ／又は収集（好ましくは保存）することができる。
【００１１】
さらに、少なくとも一の特定の建物区画環境、及び／又は少なくとも一の特定の建物区画環境変化を得る、又は保持するための少なくとも一の実行（稼働）消費エネルギーを表す、少なくとも一の情報（特に学習に基づく情報、及び／又は建物区画環境状態情報、以下「学習情報」という。）を提供（特に決定）する、かつ／又は収集（好ましくは保存）することができる。
【００１２】
達成すべき又は既に達成された少なくとも一の建物区画環境、及び／又は達成すべき又は既に達成された少なくとも一の建物区画環境変化を得る又は保持するために必要な、少なくとも一の（予想される）時間を決定（特に計算）し、好ましくは表示することができる。さらに、達成すべき又は既に達成された少なくとも一の建物区画環境、及び／又は達成すべき又は既に達成された少なくとも一の建物区画環境変化を得る又は保持するために必要な、少なくとも一の（予想される）消費エネルギーを決定（特に計算）し、好ましくは表示することができる。決定は、少なくとも一の学習情報を用いて実行される。
【００１３】
本発明により、好ましくは、達成すべき少なくとも一の建物区画環境、及び／又は達成すべき少なくとも一の建物区画環境変化を少なくとも得るために、又は達成された少なくとも一の建物区画環境、及び／又は達成された少なくとも一の建物区画環境変化を保持するために、必要な消費エネルギー及び／又は時間を決定することができる。
【００１４】
好ましくは、時間的に最適化して（好ましくは可能な限り早く）及び／又はエネルギー的に最適化して（好ましくは可能な限り少ない消費エネルギーで）達成すべき、もしくは既に達成された少なくとも一の建物区画環境、及び／又は達成すべき又は既に達成された建物区画環境変化を得る又は保持するために、建物区画環境に影響を与える少なくとも一の手段を決定（特に計算）し、好ましくは表示することができる。さらに、好ましくはユーザが指定可能な設定で、達成すべき又は既に達成された少なくとも一の建物区画環境、及び／又は達成すべき又は既に達成された建物区画環境変化を得る又は保持するために、建物区画環境に影響を与える少なくとも一の手段を決定（特に計算）し、好ましくは表示することができる。決定は、少なくとも一の学習情報を用いて実行される。
【００１５】
本発明では、好ましくは、達成すべき少なくとも一の建物区画環境、及び／又は達成すべき少なくとも一の建物区画環境変化を得ることができる、又は達成された少なくとも一の建物区画環境、及び／又は達成された少なくとも一の建物区画環境変化を保持することができるよう、建物区画環境に影響を与える少なくとも一の手段を決定することができる。
【００１６】
ユーザが指定可能な設定は、好ましくはエネルギー最適化もしくは時間最適化の設定、又はエネルギー最適化と時間最適化との重み付けで表される設定である。
【００１７】
ユーザが指定可能な設定は、特に時間効率及び／又はエネルギー効率と関連する設定で表される。例えば、このユーザ設定は、時間効率及び／又はエネルギー効率に関する重み付けで表すことができる。（例えば、エネルギー効率が１００％であり（エネルギー最適化）、時間効率的が０％である。エネルギー効率が８０％であり、時間効率的が２０％である。エネルギー効率が５０％であり、時間効率的が５０％である。エネルギー効率が０％であり、時間効率的が１００％である（時間最適化）。）
【００１８】
したがってユーザが指定可能な設定は、好ましくはエネルギー最適化手順及び／又は時間最適化手順に対して折衷点とできるが、エネルギー最適化手順及び／又は時間最適化手順とすることもできる。
【００１９】
さらに、好ましくは動作の前に又は際に、エネルギー的に最適化した手順（つまり少なくとも比較的エネルギー効率良く）、又は時間的に最適化した手順（つまり少なくとも比較的早く）、又は中間的手順をユーザが選択して、建物区画環境を達成できる。
【００２０】
本発明により、エネルギー効率の良い運転を意識的に促すことができ、同時に、システムより優位な立場にあるという気分となる。なぜなら、エネルギー効率の良い運転を行うことができる場合に、エネルギー効率が選択される前に、あるいはエネルギー最適化された動作中であっても、ユーザが決定を行うことができるからである。
【００２１】
以下では各事例において「建物区画環境（building zone climate）及び／又は建物区画環境変化（building zone climate change）」を「建物区画環境」という。ただ、「建物区画環境」に代えて、あるいは「建物区画環境」に加えて、「建物区画環境変化」も含むものとする。
【００２２】
本発明において、環境は、以下の少なくとも一を含むか、又はこれで表すことができる。すなわち気温、明るさ、好ましくは相対湿度、二酸化炭素濃度、少なくとも一の建物区画境界（例えば壁、天井及び／又は床）の表面温度、風力、雲量、日照、光強度、輝度、気流速度である。また環境は、建物区画環境（室内環境）及び／又は屋外環境に対応付けることができる。
【００２３】
環境には、一以上の環境パラメータ、すなわち一以上の環境値（例えば気温２０℃、相対湿度ｒＦ６０％）を含めることができる。このように、本発明における環境は、一の環境パラメータ又は複数の環境パラメータを含むことができる。
【００２４】
環境変化には、一以上の環境パラメータすなわち一以上の環境値の変化を含まれる。
【００２５】
特に、本発明における特定の建物区画環境、及び／又は達成すべき又は既に達成された建物区画環境は、次の少なくとも一を含む。少なくとも一の建物区画環境の所望の値すなわち少なくとも一の建物区画環境の所望のパラメータ（好ましくは一次元）、少なくとも一の建物区画環境所望の値範囲（好ましくは多次元）、達成すべき少なくとも二の建物区画環境の所望のパラメータを含む少なくとも一の建物区画環境の所望のシナリオ（予定過程）。このことは、特に特定の建物区画環境変化及び／又は達成すべき建物区画環境変化でも同様である。
【００２６】
好ましくは、達成すべき建物区画環境とは、これから達成すべき建物区画の所望の環境をいい、そして達成された建物区画環境とは、既に達成された建物区画環境をいう。一方、好ましくは、特定の建物区画環境とは、これまでに達成された又は保持された建物区画の所望の環境をいう。好ましくは、このことは、達成すべきもしくは既に既に達成された建物区画環境変化及び特定の建物区画環境変化でも同様である。
【００２７】
提供するステップ又は収集するステップにおいていう特定の建物区画環境を、決定ステップにおいていう達成すべき又は既に達成された建物区画環境と同一とすることもできる。ただ、必ずしも同一である必要はない。このことは、特に、提供するステップ又は収集するステップにおいていう特定の建物区画環境変化、及び決定ステップにおいていう達成すべき又は既に達成された建物区画環境変化でも同様であり、特に、場合によって用いる与えられた周辺条件及び建物区画環境に影響を与える手段でも同様である。
【００２８】
建物区画は、好ましくは一以上の内部の部屋を備えており、例えばさらに集合住宅又は建物すなわち家屋全体からなることもできる。
【００２９】
少なくとも一の学習情報を提供するかつ／又は収集するステップを通じて、建物区画の環境状態を、与えられた周辺条件及び／又は変化する周辺条件を考慮しながら、かつ／又は建物区画環境に影響を与える少なくとも一の手段からの少なくとも一の効果を考慮しながら又は建物区画の環境状態と対応付けながら、決定する、又は（好ましくは連続的に）経験的に学習することが好ましい。
【００３０】
周辺条件は、建物区画特有の条件（例えば熱慣性、位置、窓面、部屋の高さ等）、建物自動化システム特有の条件（例えば、建物区画環境に影響を与える少なくとも一の手段又は他の機能部の消費エネルギー、性能、効率等）とでき、かつ／又は環境特有の条件（例えば外部温度、内部温度等）とすることもできる。
【００３１】
少なくとも一の学習情報を用いて決定ステップが行われるので、建物区画の（特に学習に基づく）環境状態を含めて、特に与えられた周辺条件及び／又は変化する周辺条件を考慮しながら、そして好ましくは、建物区画環境に影響を与える少なくとも一の手段からの少なくとも一の効果を考慮しながら又は対応付けながら、決定ステップを行う利点がある。
【００３２】
したがって、その結果、達成すべき建物区画環境、及び／又は達成すべき建物区画環境変化を得る又は保持するために、どれくらいの時間がさらに必要であるか及び／又はどれくらいのエネルギーが必要かを決定することができる利点がある。
【００３３】
本発明により、何らかの建物区画の特有の特性値及び建物自動化の特有の特性値がなくても、学習情報を用いて補償を行うことができる。従来では、例えば、大規模なシミュレーションモデルを用いて建物区画の特有の特性値及び建物自動化の特有の特性値を予め決定する必要があった。したがって、本発明の一の特有の利点には、建物自動化システムのインストール時又は調整時に、特に建物自動化システムの制御システムすなわちコントロールシステムのインストール時又は調整時に、建物区画特有のパラメータ又はコントロール方式をプログラムする必要も変更する必要もないことが挙げられる。これにより、インストール費用を抑制でき、コスト削減につながる。動作はより快適となり、ユーザも受忍しやすくなる。
【００３４】
提供（又は収集）及び／又は決定の際に建物区画環境に影響与えるすべて又は少なくとも複数の手段と特にそれらの相互作用とを考慮に入れることがより好ましい。この場合には、達成すべき建物区画環境を得る又は達成された建物区画環境を保持するのに、運転にできるだけ大きな余裕を与えることができる。
【００３５】
さらに、学習情報には、建物区画環境に影響を与える少なくとも一の手段（例えば、達成すべき建物区画環境を得るために行われる）の有効性を含めることができる。建物区画環境に影響を与える手段の有効性は、例えば、この手段が一定時間内に建物区画環境に影響することができる変化から、導き出せる。手段の変化率と与えられた周辺条件下の建物区画の状態とが分かれば、達成すべき建物区画環境を得るために必要な時間を概算できる。
【００３６】
本発明における提供及び／又は収集には、学習情報を得る又は決定するかつ／又は管理する又は記憶するのに適したあらゆる方法が含まれる。
【００３７】
本発明のさらなる一の利点として、建物自動化システム、特に建物自動化システムの制御システムすなわちコントロールシステムが、基本的には、ほとんどすべての建物区画及び建物に汎用的に適用可能であることが挙げられる。
【００３８】
本発明では、それぞれの関連するセンサ及び建物区画環境に影響を与える手段（つまりアクチュエータ）の学習を通じて、制御機能すなわちコントロール機能を自動的に接続することができ、その結果、追加的なインストールやプログラミングを行う労力を必要とせず、好ましくは必要なときにシステムの規模を拡大縮小できるという利点がある。
【００３９】
さらに、動作の前及び際に、達成すべき建物区画環境が得られるまでにさらに必要な（及び／又はすで行われた）消費エネルギーと残りの所要時間（及び／又はすで経過した時間）とに関する情報を、ユーザに知らせることが好ましい。これにより、不快が和らぎ、ユーザが受忍しやすくなる。
【００４０】
本発明を用いて、好ましくは、達成すべき少なくとも一の建物区画環境を得る又は達成された建物区画環境を保持するのにどのくらいのエネルギーが必要であるかに関する予測的かつ／又は正確な提示を行うことができる。このことは、特に、この達成を得る（すなわち、暖房０〜１００％又は日除けの作動）ために消費される消費エネルギー（例えば接続されている照明に用いられているワット数）を検出する、決定する、又は手動で入力し記憶することにより、達成できる。建物区画環境に影響を与える少なくとも一の手段に費やす時間を計算できるので、与えられた周辺条件を考慮しながら、少なくとも一の達成すべき建物区画環境を得るための全体消費エネルギーを計算できる。
【００４１】
好ましくは、ユーザは、達成すべき建物区画環境を得るための時間（時刻又は所要時間）を指定できる。シミュレーション及び評価工程において、与えられた周辺条件下で時間的に最適化して、エネルギー的に最適化して又はユーザによって指定された中間的ユーザ設定を考慮して達成すべき建物区画環境を得るために、建物区画環境に影響を与える少なくとも一の手段を選択し連係させる方法が決定される。
【００４２】
達成すべき建物区画環境を得るために又は達成された建物区画環境を保持するために（予想される）必要な時間は好ましくは最小時間であり、一方、（予想される）必要な消費エネルギーは好ましくは最小消費エネルギーである。
【００４３】
さらに、ユーザが指定する情報又はユーザコマンド情報を、考慮もしくは読み取ることもできる。
【００４４】
このユーザコマンド情報には、例えば、達成すべき建物区画環境を含めることができる。
【００４５】
またユーザコマンド情報には、特に、達成すべき建物区画環境が得られる予定の時間（時刻又は所要時間）を含めることができる。
【００４６】
さらにユーザコマンド情報には、達成すべき建物区画環境を、最小時間内で（つまり時間的に最適化して）、又は最小消費エネルギー内で（つまりエネルギー的に最適化して）実現できるかどうかを含めることができる。
【００４７】
さらにまたユーザコマンド情報には、達成すべき建物区画環境を得る又は保持するときのユーザ設定を含めることができる。この設定は、最小時間（つまり時間最適化）と最小消費エネルギー（つまりエネルギー最適化）との間で指定できるので、エネルギー最適化と時間最適化の折衷点とできる。
【００４８】
本発明では、達成すべき建物区画環境を、好ましくはユーザが指定可能な時間で実現するために、建物区画環境に影響を与える複数の異なる手段を決定できる。
【００４９】
したがってユーザコマンド情報には、好ましくは、建物区画環境に影響を与える複数の手段中から、いずれの手段を実行するかを含むことができる。
【００５０】
少なくとも一の、ユーザが設定する条件を具備するのに適した、建物区画環境に影響を与える少なくとも一の手段が実行されることが好ましい。
【００５１】
ユーザが設定する条件には、特に以下の少なくとも一が含まれる。すなわち、達成すべき建物区画環境、達成すべき建物区画環境変化、ユーザ設定、建物区画環境に影響を与えるため少なくとも一の手段が実行されたとき、達成すべき建物区画環境、及び／又は達成すべき建物区画環境変化が得られる時間である。
【００５２】
建物自動化システムの動作の際に、ユーザが指定可能な間隔で、又はユーザが指定可能な時間（時刻又は経過時間）で、建物区画環境に影響を与える一の手段が行われたとき、及び／又は建物区画環境に影響を与える少なくとも一の手段を実行する前に、もしくは実行する際に、提供、収集及び／又は決定工程を少なくとも一時的に行うことができる。決定は、好ましくは反復的に、特に有限反復法及び／又は評価法を用いて行われる。
【００５３】
また建物自動化システムは、ユーザが在室中か不在かを検出可能な少なくとも一のユーザ検出センサを備えることができる。
【００５４】
さらに提供、収集及び／又は決定工程は、好ましくはユーザ検出センサによる検出、又は手動によるユーザ指定によって、建物区画にユーザ不在のときに特に実行できる。
【００５５】
一定の条件下で個々の手段又は変化を観察し検出できる場合、少なくとも一の学習情報を評価することが特に効果的である。このことを、ユーザが在室の場合には、必ずしも行うことができるとは限らないので、種々の手段の較正を、与えられた周辺条件下でユーザ不在の状況において、行うことができる。
【００５６】
好ましくは本発明は、既に収集された学習情報を考慮しながら、現在の実際の環境又は現在の実際の空気調節を、学習情報の収集に追加する意味があるか否かを判断する工程、すなわち記録すべきか否かを判断する工程を備える。
【００５７】
ここでは多くの学習情報が利用可能である。特に、建物区画の先の環境状態を記述するデータベースが大きいほど、例えばユーザに指定された条件を満たすために必要な消費エネルギー、時間及び／又は建物区画環境に影響を与える少なくとも一の手段を決定する精度が高まる。
【００５８】
さらに、好ましくは建物区画環境、及び／又は屋外環境を記述する少なくとも一のパラメータ（つまり値）を、少なくとも一のセンサを用いて読み取り、及び／又は検出できる。
【００５９】
また、好ましくは建物区画環境に影響を与える少なくとも一の手段の消費エネルギー、空気調節効率及び／又は性能状態を記述する少なくとも一のパラメータ（つまり値）を、少なくとも一のセンサを用いて読み取り、及び／又は検出できる。
【００６０】
さらに、建物区画環境に影響を与える少なくとも一の手段の状況又は動作状態（例えば手段ごとのアクチュエータの状況値又は動作状態）を記述する少なくとも一のパラメータ（つまり値）を検出し、かつ／又は読み取りできる。
【００６１】
さらに、予測される野外環境及び／又は建物区画環境を表す少なくとも一のパラメータ（つまり値）を読み取ることもできる。
【００６２】
さらに、気象データ、気象予報データ及び／又は建物の位置における太陽高度データを読み取り、かつ／又は好ましくは自動的に検索又は計算することもできる。
【００６３】
気象予報データには、例えば、特定の時間（時刻又は経過時間）にいて予想される外気温、風力、湿度及び雲量を含めることができる。
【００６４】
さらに、一般的な暦データ及び／又はユーザに指定された日程データを読み取り、及び／又は好ましくは自動的に検索できる。
【００６５】
建物自動化システムの動作の際に、ユーザが指定可能な間隔で、ユーザが指定可能な時間（時刻又は経過時間）で、建物区画環境に影響を与える一の手段が実行されたとき、又は建物区画環境に影響を与える少なくとも一の手段を実行する前、もしくは実行する際に、検出、読み取り及び／又は検索を少なくとも一時的に行うことができる。
【００６６】
さらに、検出、読み取り及び／又は検索は、好ましくはユーザ検出センサによって検出できる又は手動でユーザが指定することによって、建物区画にユーザ不在のときに、特に行うことができる。
【００６７】
提供（又は収集）及び／又は決定を、特に次の少なくとも一を考慮しながら行うことができる。屋外環境及び／又は建物区画環境を表す少なくとも一のパラメータ、消費エネルギーを表す少なくとも一のパラメータ、建物区画環境に影響を与える少なくとも一の手段の空気調節効率及び／又は性能状態、建物区画環境に影響を与える少なくとも一の手段の状況又は動作状態を表す少なくとも一のパラメータ、予期される屋外環境及び／又は建物区画環境を表す少なくとも一のパラメータ、気象データ、気象予報データ、建物の位置における太陽高度データ、一般的な暦データ及び／又はユーザに指定された日程データ。データ又はパラメータを、読み取る、検索する、例えばセンサによって検出する、計算することができ、又は他の適当な方法で提供することができる。
【００６８】
特に、好ましくは、ユーザが指定可能な時間（時刻又は経過時間）までに、達成すべき少なくとも一の建物区画環境、及び／又は達成すべき建物区画環境変化を得るために必要な（予想される）時間及び／又は消費エネルギーを決定することができる。
【００６９】
建物区画の無駄な環境調節を行わないために、ユーザが指定可能な時間（時刻又は経過時間）で達成すべき少なくとも一の建物区画環境が得られるよう、建物区画環境に影響を与える少なくとも一の手段を作動させる可能な限り遅い時間を決定することができる。
【００７０】
特に、可能な限り遅い時間に建物区画の空気調節を開始すること、又は時間的に最適化して及び／又はエネルギー的に最適化して又はユーザが指定可能な設定で少なくとも一の達成すべき建物区画環境、及び／又は少なくとも一の建物区画環境変化を得るための、建物区画環境に影響を与える少なくとも一の手段の残りの所要時間を決定することができる。
【００７１】
特に、建物区画環境に影響を与える少なくとも一の手段を、好ましくは自動的に又は読み取り可能なユーザコマンド情報を用いて、可能な限り遅い時間に作動できる。
【００７２】
達成すべき建物区画環境、及び／又は達成すべき建物区画環境変化を得るまで、どれくらいの時間がさらに必要であるか及び／又はどれくらいのエネルギーがさらに必要であるかを決定し好ましくは表示することもできる。
【００７３】
建物区画環境に影響を与える少なくとも一の手段は、例えば順次かつ／又は同時に実行できる、（例えば、好ましくは反対の影響を与える）複数の手段（例えば、手段の組み合わせ及び／又は一組の手段）を備える。ただ、建物区画環境に影響を与える少なくとも一の手段を、単一の手段のみから構成することもできる。
【００７４】
建物区画環境に影響を与える少なくとも一の手段は、空気調節機能及び／又は空気調節部を備える。
【００７５】
建物区画環境に影響を与える少なくとも一の手段は、特に次の少なくとも一を備える。暖房（建物区画温度を上げる）、冷房（建物区画温度を下げる）、換気、遮光条件の変更、照明条件の変更、湿度の変更、二酸化炭素濃度の変更、暖房部、空調部、換気部、熱回収部、遮光部、照明部、窓開閉部。建物区画環境に影響を与える少なくとも一の手段には、ある空気調節機能及び／又は空気調節部の完全な停止（例えば暖房部の停止、照明部の停止等）をさらに含めることができる。
【００７６】
達成すべき又は既に達成された少なくとも一の建物区画環境、及び／又は達成すべき又は既に達成された建物区画環境変化を時間的に最適化して及び／又はエネルギー的に最適化して得る又は保持するよう、又はユーザが指定可能な設定で得る又は保持するよう、建物区画環境に影響を与える少なくとも一の手段を実行することができる。
【００７７】
時間的に最適化して及び／又はエネルギー的に最適化して又はユーザが指定可能な設定で、達成すべき又は既に達成された少なくとも一の建物区画環境、及び／又は達成すべき又は既に達成された建物区画環境変化を得る又は保持するために、動作方法は、次の少なくとも一に基づいて又は応答して建物区画環境に影響を与える少なくとも一の手段を好ましくは自律的にかつ／又は独立して又は自動的に実行するかつ／又は調整するステップを備えることができる。少なくとも一の基本的に現在検出されている周辺条件、少なくとも一の変化している又は基本的に現在変化した周辺条件、建物区画環境に影響を与える少なくとも一の手段の少なくとも一の効果、少なくとも一の検出された又は読み取られたパラメータ、読み取られたかつ／又は検索された気象データ及び／又は気象予報データ、読み取られたかつ／又は計算された太陽高度データ、読み取られたかつ／又は検索された一般的な暦データ及び／又はユーザに指定された日程データ、少なくとも一のユーザが指定した設定。
【００７８】
動作方法又は建物自動化システムが、例えば一以上のユーザの関与に、特にユーザによる（好ましくは手動による）建物区画環境を変更する（窓を開ける、照明を点灯する等）関与に対応できることが好ましい。
【００７９】
動作方法又は建物自動化システムは、ユーザが指定した設定又はユーザが設定する条件（例えば、動作モードで決められた、又はユーザが予め選択した、又は他の予め指定された条件）に基づいて、例えば自律的にかつ／又は独立して又は自動的に機能することが好ましい。
【００８０】
周辺条件を、建物区画（例えばユーザが在室か不在か、ユーザの関与による変化、建物区画環境、在室人数の増減、ＣＯ２変化等）、建物自動化システム（例えば、ユーザの関与、建物区画環境に影響を与える手段、機能部等による変化）、及び／又は建物区画環境又は屋外環境（例えば、雲量の変化によってよく起こる温度低下等の温度変化、人数の増減、ＣＯ２変化等）と、関係付けることができる。周辺条件を、建物区画、建物自動化システム、及び建物区画環境又は屋外環境の複数に対応付けることができることは明らかであろう。
【００８１】
複数のもしくはすべての建物区画環境パラメータ、及び／又は複数のもしくはすべての建物区画環境に影響を与えるすべての手段、及び好ましくは複数のもしくはすべての機能部もしくは機能ユニットを、同じコントロール回路（開ループ又は閉ループで及び／又はモニタ回路でコントロールする（開ループ又は閉ループで）かつ／又はモニタすることができる。
【００８２】
本発明に係る制御モデルすなわちコントロールモデルには、好ましくは一般的な関係のみを、つまり手段の効果及び相互作用（例えば、スイッチが入れられた暖房器は熱を発する、自然換気は屋内温度を屋外温度と同じにする、遮光により暗くなる等）を含めることができる。この制御知識の基本的な枠組みは室内空気調節に汎用的に適用可能であり、場所とは無関係に適用できる。
【００８３】
特に、建物区画特有の、場所特有の、かつ／又は建物自動化特有の周辺条件を、インストールの際に又は動作の際に検出することができ、学習し、好ましくは継続的に改善することができる。
【００８４】
機能部（例えば、センサ、空気調節部、電気消費器、アクチュエータ、機能ユニット等）が建物自動化システムへと設置された（例えば、制御器と接続された）とき、その機能（例えば測定要素、アクチュエータ又は空気調節要素）を認識し、自動的に組み込むことができる。
【００８５】
本発明は、上述した動作方法に限定されず、ここに記載する動作方法を特に実行する、建物自動化システム及び／又はコントロールシステム（制御システムを含む）とすることもできる。
【００８６】
少なくとも一の建物区画の空気調節を行うための、及び／又は建物区画環境に影響を与える少なくとも一の手段又は建物自動化システムの少なくとも一の機能部（例えばセンサ、電気消費器、機能ユニット等）をコントロールする（例えば開ループ又は閉ループコントロール）又はモニタするための、及び／又は好ましくは建物区画環境（室内環境）又は屋外環境を表すパラメータをセンサにより検出するための、システムを提供することができる。
【００８７】
本発明に係るシステムは、少なくとも一の特定の建物区画環境、及び／又は少なくとも一の特定の建物区画環境変化を得る又は保持するための少なくとも一の実行（稼働）時間及び／又は消費エネルギーを表す、少なくとも一の学習情報を提供及び／又は収集するよう構成される提供ユニット及び／又は収集ユニット（例えばデータベース）を備える。
【００８８】
さらにシステムは、少なくとも一の学習情報を使用して、達成すべき又は既に達成された少なくとも一の建物区画環境、及び／又は達成すべき又は既に達成された少なくとも一の建物区画環境変化を得る又は決定するために少なくとも一の（予想される）必要な時間及び／又は少なくとも一の（予想される）消費エネルギーを決定するよう構成される決定ユニットを備えることができる。
【００８９】
さらにシステムは、少なくとも一の学習情報を使用し、達成すべき又は既に達成された少なくとも一の建物区画環境、及び／又は達成すべき又は既に達成された少なくとも一の建物区画環境変化を、時間的に最適化して及び／又はエネルギー的に最適化して得る又は保持する、又はユーザが指定可能な設定で得る又は保持するために用いられる、建物区画環境に影響を与える少なくとも一の手段を決定する決定ユニットを備えることができる。
【００９０】
決定ユニット（好ましくは計算ユニットを含む）を単一の決定ユニットとすることもできる。ただ、決定ユニットを、二以上の決定ユニットとしてもよい。このことは、機能ユニットや機能部（例えば読み取りユニット、検出ユニット等）でも同様である。
【００９１】
決定ユニットを、さらにコントロールユニットとして、すなわち開ループコントロールユニット及び／又は閉ループコントロールユニットとして構成することができる。コントロールユニット、すなわち開ループコントロールユニット及び／又は閉ループコントロールユニットを（決定ユニットとは別のユニットとして）備えることもできる。
【００９２】
好ましくは、決定ユニット又はコントロールユニットを、特に、達成すべき又は既に達成された少なくとも一の建物区画環境、及び／又は達成すべき又は既に達成された建物区画環境変化を時間的に最適化して、及び／又はエネルギー的に最適化して得る又は保持するために、又はユーザが指定可能な設定で得る又は保持するために、建物区画環境に影響を与える少なくとも一の空気調節部又は少なくとも一の手段（又は一以上の機能部）をコントロール（開ループ又は閉ループコントロール）するために備えることができる。
【００９３】
特に、システムは、建物区画環境に影響を与える、少なくとも一の手段又は空気調節部を備えることができる。
【００９４】
ここに記載する機能ユニットは、好ましくは、複数の異なる部材又はアッセンブリとしてハードウェアで実現される。ただ、それぞれの機能部を、ソフトウェアモジュールとして、例えばコンピュータプログラムで実現することもできる。
【００９５】
さらに本発明は、特に、少なくとも一の建物区画の空気調節を行うための、及び／又は建物区画環境に影響を与える少なくとも一の手段又は建物自動化システムの少なくとも一の機能部をコントロールする（例えば開ループ又は閉ループコントロール）又はモニタするための、及び／又は好ましくは建物区画環境（室内環境）又は屋外環境を表す、好ましくはセンサによって検出されたパラメータすなわち値を取り込むための、建物つまり家屋自動化システムのコンピュータプログラムを提供する。
【００９６】
コンピュータプログラムは、データ処理ユニット（例えばコンピュータ、プロセッサ、マイクロコントローラ等）又はコントロールシステムすなわち制御システムによって実行されたとき、ここに記載する動作方法のステップの実行を開始するよう、構成すなわち作成される。
【００９７】
さらに本発明は、ここに記載するコンピュータプログラムを有する、コンピュータ、データ処理ユニット（プロセッサやマイクロコントローラを備える）、コントロールシステムすなわち制御システム、又はコンピュータで読み取り可能な媒体とすることもできる。
【００９８】
システム及びコンピュータプログラムのさらなる特徴は、ここに記載する方法又はシステムから容易に理解されよう。
【００９９】
上記の特徴は、所望の態様で他の特徴と組み合わせることができる。本発明の他の好ましい態様を、従属請求項に記載する。また本発明の他の好ましい態様は、添付の図面を参照して、好ましい実施形態の以下の説明から明らかとなろう。以下に図面を説明する。
【図面の簡単な説明】
【０１００】
【図１】本発明に係る建物すなわち家屋自動化システムの動作方法の例示的な実施形態を示すフローチャートである。
【図２】本発明に係る動作方法及び本発明に係る建物自動化システムの例示的な実施形態を示す概略図である。
【図３】本発明の原理を例示する、実際の値から所望の値へと移行させるための、実際の値と所望の値と手段ベクトルとを示す座標図である。
【図４】本発明の原理を例示する、与えられた周辺条件下で実際の値から所望の値へと移行させるための、実際の値と所望の値と種々の手段ベクトルとを示す座標図である。
【図５】本発明の有限反復決定の原理を例示する、与えられた周辺条件下で実際の値から所望の値へと移行させるための、実際の値と所望の値と種々の手段ベクトルとを示す座標図である。
【図６】本発明の原理を例示する、与えられた周辺条件下で実際の値から所望の値へと移行させるための、実際の値と所望の値と種々の手段ベクトルとを示す座標図である。
【図７】本発明のユーザが指定可能な設定の原理を例示する概略図である。
【発明を実施するための形態】
【０１０１】
図１に、本発明に係る建物すなわち家屋自動化システムの動作方法の例示的な実施形態のフローチャートを示す。
【０１０２】
ステップＳ１において、ユーザコマンドが読み取られる。ステップＳ１におけるユーザコマンドは、いずれの建物区画環境、又は建物区画におけるいずれの建物区画環境変化を達成し、好ましくは保持するかを指定する。ユーザは、例えば所望の気温（例えば２０℃）、又は例えば所望の温度変化（例えば３℃上げる）を指定することができる。簡略化のために、以下では「建物区画環境」と記載するが、「建物区画環境」に代えて、又は「建物区画環境」に加えて、「建物区画環境変化」が含まれているものとする。
【０１０３】
ユーザは、複数の条件を、例えば所望の温度と所望の湿度とを指定できる。さらに、ユーザは、複数のユーザが指定した条件を、例えば所望の温度と所望の湿度とを含む、好ましくは予め決められた建物区画環境の所望の予定過程を選択できる。
【０１０４】
ステップＳ２において、さらなるユーザコマンドが読み取られる。ユーザコマンドは、ステップ１において指定された建物区画環境を達成すべき時点（又は経過時間）を指定する。またユーザコマンドは、これに代えて又はこれに加えて、時間的に最適化して、すなわち可能な限り早く、エネルギー的に最適化して、すなわち可能な限り少ないエネルギーで、指定された建物区画環境を得る、又はユーザが望むエネルギー最適化と時間最適化との設定バランスで建物区画環境を得ることを指定できる。ユーザによって指定できる設定の原理を図７に示す。図７に示すように、ユーザが指定できる設定は、エネルギー最適化（１００％エネルギー効率優先）と時間最適化（１００％時間効率優先）との間で重み付けできる。例えば、最終的な効果が、「８０％エネルギー効率優先」であり「２０％時間効率優先」である重み付けで、達成すべき建物区画環境が得られる。
【０１０５】
ステップＳ３．１において、所望の建物区画環境を得るのに必要な最小時間及び最小消費エネルギーを決定できる。与えられた周辺条件（例えば外気温、日照、放熱能力、内部温度又は他の屋外環境パラメータ、及び建物区画環境パラメータ）下で、そして建物区画環境に影響を与える少なくとも一の手段の効果の下（例えば、暖房、換気、遮光等）で、建物区画環境が経験学習的にどのような状態になるのかを記述する、以前にステップＳ０において決定され収集された、学習情報を用いて、決定が行われる。学習情報は、建物区画環境に影響を与える少なくとも一の手段を考慮しながら、建物区画をある建物区画の実際の環境から所望の環境を得るための実際の実行（稼働）時間及び消費エネルギーを記述する。
【０１０６】
図１には示さないが、パラメータを、検出し、読み取り、利用可能として、決定において他の方法で考慮する。パラメータには、例えば、気温、明るさ、湿度、風力、雲量、建物区画環境に影響を与える少なくとも一の手段の消費エネルギー、気象データ、可能であればさらに気象予報データ、一般的な暦データ（例えばその年の日付、時間等）やユーザに指定された日程データ（例えばユーザがいる日、いない日、計画日程等）、さらには建物区画環境に影響を与える少なくとも一の手段（あるいはそのアクチュエータ）の状況や動作状態を記述するデータを、含めることができる。
【０１０７】
ステップＳ３．１の代わりに、あるいは追加的に、ステップＳ２において読み取られたユーザが指定した条件を達成するのに適した少なくとも一の手段をステップＳ３．２において決定できる。この決定は、基本的にステップＳ３．１にと同じ方法で行われるので、重複を避けるために上記説明を参照されたい。
【０１０８】
ステップＳ４において、ユーザに、ステップＳ３．１又はＳ３．２において決定された情報が示される。そこで、ステップＳ２において選択がまだ行われていない場合、エネルギー的に最適化して、時間的に最適化して、又はエネルギー最適化と時間最適化との重み付けに関する設定で、どのように空気調節を行うのか、特にいずれの手段を用いて行うのか、をユーザはステップＳ５において選択できる。
【０１０９】
ステップＳ６において、ユーザが設定した条件を満たすのに適した、建物区画環境に影響を与える少なくとも一の手段が実行される。好ましくは、建物区画環境に影響を与える少なくとも一の手段が、決定された作動変数に応じて、手段に対応付けられたアクチュエータをコントロールするすなわち制御する（例えば決定ユニット２０又は図２には示されていないコントロールユニットを用いて）ことによって、実行される。このように、ユーザによって指定された達成すべき建物区画環境を得て、そしてユーザの所望により保持できる。
【０１１０】
図１のフローチャートにおいて示していない特徴に、動作方法が、ユーザによって指定された時間にユーザによって指定された達成すべき建物区画環境を得るため建物区画環境に影響を与える少なくとも一の手段を作動させる可能な限り遅い時間を決定できることがある。これにより、建物区画の無駄な環境調節を行わずにすみ、したがって、エネルギーを節約できることがある。
【０１１１】
図１に明示していない他の特徴として、現在検出されている、変化している、又は少なくとも現在変化した、周辺条件に基づいて又は応答して、決定ユニット２０又は他のコントロールユニットを用いることによりコントロール可能な建物区画環境に影響を与える少なくとも一の手段を、自律的に実行かつ／又は調整することができる。これにより、達成すべき建物区画環境をまた、変化する周辺条件（例えば温度低下）に応じて取得又は保持できることがある。
【０１１２】
図２に、本発明に係る動作方法及び本発明に係る建物自動化システムの例示的な実施形態の概略図を示す。図２に示す例示的な実施形態は、先に説明した例示的な実施形態と部分的に同様であるので、重複を避けるために上記説明を参照されたい。
【０１１３】
図２では、四つの部分、つまり一般的で汎用的な部分と、建物特有の又は建物自動化特有の部分と、ユーザ特有の部分と、物理的部分と、に分けてある。矢印は、建物自動化システムの機能ユニット又は機能部の間のデータの流れを表している。
【０１１４】
建物特有の又は建物自動化特有の部分は提供・収集ユニット１０を有する。提供・収集ユニットは、建物区画環境に影響を与える特定の手段を考慮し対応付けながら特定の建物区画環境を得るための、建物区画環境と関連する変化率及び時間に対応するサブユニット１０．１を備える。提供・収集ユニット１０は、建物区画環境に影響を与える特定の手段を考慮し、対応付けながら特定の建物区画環境を得るための、建物区画環境と関連するエネルギーに対応するサブユニット１０．２をさらに備える。
【０１１５】
一般的で汎用的な部分は、室内環境計算又は決定モデルに対応するサブユニット２０．１と、シミュレーション及び／又は実行方法立案に対応するサブユニット２０．２と、を有する決定・計算ユニット２０を備える。
【０１１６】
ユーザ特有の部分は、ユーザコマンドを読み取るための読取ユニット３０を備える。ユーザコマンドは、達成すべき建物区画に所望の環境又は達成すべき建物区画環境に対する所望の時間に関する、又はエネルギー最適化、時間最適化もしくはエネルギー最適化と時間最適化との中間に対するユーザのエネルギー／時間設定に関する、指定された条件とできる。
【０１１７】
物理的部分は、建物区画環境に影響を与えるアクチュエータ（例えば暖房器、遮光部、窓開閉部等）と、建物区画環境、及び屋外環境を検出するためのセンサと、を有する手段を好ましくは備える。
【０１１８】
決定ユニット２０は、提供ユニット１０によって通信されたデータ／情報（学習情報）と、読取ユニット３０によって提供されるユーザコマンド／ユーザ情報と、データ／情報好ましくはセンサによって提供される環境を記述するデータ／情報（例えば建物区画温度、外気温等）と、を決定するために用いられる。
【０１１９】
提供ユニット１０、センサ及び読取ユニット３０からのデータ／情報に基づいて、決定ユニット２０は、与えられた周辺条件又は予期される周辺条件を考慮しながら、必要な時間及び消費エネルギーを決定できる。これに代わってあるいは追加して、決定ユニット２０は、ユーザが設定した条件を満たすのに適した、建物区画環境に影響を与える少なくとも一の手段を決定できる。
【０１２０】
決定ユニット２０を用いて決定された情報又はデータは、対応する建物区画環境に影響を与える手段を、特にそれらのアクチュエータを、好ましくはコントロールデータすなわち制御データ及び／又は作動変数の通信を通じて、コントロールするつまり制御するために用いられる。
【０１２１】
一定の条件下で単一の手段又は変化を観察し検出することができる場合、学習情報の評価が最も効果的である。このことを、ユーザが在室のときには、行うことができない場合があるので、種々の手段の較正は、与えられた環境周辺条件下でユーザ不在の状況において、行うことができる。このために、既に集められた又は決定された学習情報を考慮しながら、現在の実際の状況が学習情報の収集に追加する意味があるか否かを判断する、つまり記録すべきか否かを判断する。
【０１２２】
図２に示す制御モデルは、多変数コントローラとして実行できる。多変数コントローラは、複数の互いに影響を与える入出力パラメータを、特定のシステムに応じてコントロールできる。入力パラメータは、建物区画環境の状況及びアクチュエータの状況値を表す、センサによって検出された値である（フィードバック）。出力パラメータは、利用可能な建物区画環境に影響を与える手段（あるいはそれらのアクチュエータ）に対する具体的な作動変数である。
【０１２３】
制御プロセスすなわちコントロールプロセスはが、多次元ベクトル空間において計算される。多次元ベクトル空間では、それぞれのコントロール可能な建物区画環境パラメータが一次元を表す。理解しやすいよう、以下では、例えば気温及び湿度の二つの建物区画環境パラメータに対応付けることができる二次元のみの場合を説明する。ただ、二次元よりも多い又は少ない次元でも実現可能である。
【０１２４】
制御すなわちコントロールプロセスもまた、ベクトルを用いて記述することができる。特定の空間点（実際の環境）から、決定された経路を通って目標（所望の環境）へと達する必要がある。
【０１２５】
所望の値（特に、達成すべき建物区画の所望の環境）を、理解しやすいように、一次元の空間環境パラメータ（例えば気温＝２０℃）として特定するが、所望の値の範囲を定義するために多次元で特定することもできる。
【０１２６】
図３〜図６は、縦軸が建物区画環境温度Ｔを℃で表し、横軸が相対湿度ｒＦを％で表している座標を示す。
【０１２７】
図３において、建物区画環境の実際の値を、センサによって検出された測定値によって位置が定義されている、空間点として印付けている。実際の値は、外部周辺条件及び内部周辺条件（例えば天候、ユーザの関与、建物の熱慣性又は建物区画）の影響を受ける。これらの影響は、実際の値を目標範囲から遠ざける又は近づけるベクトル値として作用する。
【０１２８】
図４に示すように、一以上の建物区画環境パラメータに影響を与える種々の異なる手段が、実際の値を所望の値に調整するよう、建物区画環境に影響を与えるために利用可能である。パラメータに影響を与えるために利用可能な手段（暖房、換気等）は、その手段が動作している周辺条件に応じて、建物区画環境に大きく異なる効果を与える。例えば、自然換気（例えば窓を通じて）は、建物区画における温度を外気温と同じにする。外気温が建物区画における温度より低い場合には、換気により涼しくでき、高い場合には換気により建物区画を暖めることができる。これらの効果の関係は、基本的に汎用性があり、したがって、数値コントロールモデルに記憶できる。コントロールモデルにおいて、効果を関係付ける数値モデリングに基づいて、与えられた周辺条件下での手段ベクトルの効果の方向を決定できる。
【０１２９】
図５に示すように、いずれの手段が、どれくらいの強度で、どのくらいの時間、用いられているか、一組の手段か手段の組み合わせかに応じて、所望の値の方向に実際の値を近づけるための種々の解を見つけられる。
【０１３０】
特に、異なる解では、目標値に達するまで又は目標値を維持するのにどれだけの時間が必要か、また全体としてどれだけのエネルギーが消費されるかが異なる。従来、この区別は実際には不可能であった。なぜなら、構造的な物理的建物の状態変化にこれまで用いられていた大規模なコンピューターシミュレーションなしでは、一の手段が所望の効果を得るためにどれだけの時間又はエネルギーを要するかを記述できなかったからである。また効果を与えるのに必要な時間を決定することなく、消費エネルギーを計算することもできない。
【０１３１】
しかしながら、上述の通り本発明を用いることで、与えられた周辺条件下で、及び／又は建物区画環境に影響を与える少なくとも一の手段の少なくとも一の効果の下で、建物区画の実際の環境から達成すべき建物区画の所望の環境を得る又は保持するために、建物区画環境に影響を与える一以上の手段がどれだけの時間又はエネルギーを要するかを決定し、予測することができる。
【０１３２】
これは、特に変化率（手段が一定時間に室内環境パラメータに影響を与えることができる変化）を決定することにより達成できる。変化率は、建物区画に特有及び／又は建物自動化に特有のものであり（例えば熱慣性、自然換気の最大換気率、０％遮光時の明るさ、建物区画環境に影響を与える手段の最大能力等）、本発明に係るコントロールシステムによって好ましくは動作の際に経験学習的に決定ができる。このために、動作の際に、建物区画環境パラメータの変化に対する手段の効果（例えば毎分ケルビン）を、センサにより検出し、与えられた外部周辺条件及び内部周辺条件（例えば外気温、放熱力）に関連づける。これらのデータには、自動的に入手可能な情報（例えば日付、気象予報等）を補足できる。こうして得られたデータセットから、建物区画特有の性質又は特性値を推定し、学習情報として提供ユニット１０に保存することができる。
【０１３３】
本発明によれば、動作の推移にわたって又は長時間にわたって建物区画の特性を、特に環境の状態変化を、好ましくは大規模なプロセスを通じて取得し記憶する必要がある建物特有のデータ（例えば室内体積、質量等）なしに、連続的に「学習」し、好ましくは連続的に改善することができる。
【０１３４】
手段の変化率が与えられた周辺条件下で分かれば、コントロールプロセスの時間を予測できる。一方、センサを用いて検出された又は手動で入力できる各手段の消費エネルギーに関する情報が記憶される。このように、本発明を、いずれの室内環境パラメータにどの効果を有するいずれの手段（アクチュエータ）が、どのスピードで、変化させ、どれくらい消費エネルギーがこの変化に関連するかに関する記述を行うよう用いることができる。
【０１３５】
したがって、手段は、時間効率及びエネルギー効率に基づいて評価され、これに応じて手段を選択できる。所望の環境に達するための手段の有効性は、コントロールルモデルにおいて手段ベクトルの長さで表すことができる。ここで、ベクトル長は、手段によって達成される変化の基準が時間効率（スピード）であるか又はエネルギー効率であるかに応じて、大きく変化する。このように、ベクトルの長さ及び方向は、所望の環境に達するために手段がどの程度の有効性を有するのかに関する情報を提供する。
【０１３６】
このように、エネルギー最適化と時間最適化との設定可能な重み付け（エネルギー最適化、時間最適化もしくはエネルギー最適化と時間最適化との中間）に応じて最適解を見つけるために、動作させるべき手段を一組の手段又は手段の組み合わせとするか、動作させるべき手段の時間や強度といった、ユーザが設定した条件を達成するための異なる方法すなわち可能な解をシミュレートすることができる。
【０１３７】
図５に示すように、決定は、好ましくはコントロール動作と平行にシミュレーション機能において有限反復・評価方法を用いて行われる。特定の時間動作する各手段により新たな建物区画環境状況となり、そしてしたがってまた後の手段は建物区画環境に他の効果を与えうるので、シミュレートされた実際の値（図２を参照）を、反復法において、前の反復ステップで達成された所望の値に対応するシミュレーション機能に送信する。手段がもつ効果ベクトルは、次の反復ステップにおいて先の点から次へと計算される。反復法の目標は、設定可能な時間／エネルギー設定又は所望の値を得るための少なくとも一の適した手段に関する最適経路を見つけることである。シミュレーション機能が最適解の方法を与えると、第一組の作動変数が送信される。次に、その解の方法がチェックされ、必要に応じて、新たな実際の値に基づいて補正される。
【０１３８】
図６を参照して、本発明に係るコントロールシステム又は決定がどのように機能するかをさらに例示して説明する。
【０１３９】
例１：所望の値（所望の環境）に達するために、複数の手段を実行する（換気と暖房）。所望の値を、可能な限りエネルギー効率の良い方法で達成する（図７参照）。ここで外部温度は、建物区画温度より低い。
【０１４０】
原理的には、先に換気した上で暖房する方法、先に暖房した上で換気する方法、又は換気と暖房とを同時に行う方法の三つの作用方法の解が得られる。
【０１４１】
決定ユニット２０は、第一の方法（まず換気した上で暖房する）を決定する。なぜなら、この場合は個々のベクトル長の合計の長さが最短であるため、最も効率的だからである。
【０１４２】
仮に暖房を先に行うとすれば、高温で換気することによってエネルギー損失が大きくなり、この損失を補う必要があるため、暖房時間が長くなる。
【０１４３】
また、仮に両方の手段を同時に実行するならば、暖房の効果ベクトルはかなり短くなり、所望の値に達するにはより長く、より強力に暖房を行う必要がある。
【０１４４】
例２：ユーザは、エネルギー効率の良い動作モード（例えば図７に示すエネルギー最適化、すなわち１００％エネルギー効率優先）を選択している。暖房器が動作中であるが、ユーザは窓を開ける。所望の値（所望の環境）を保持するためには、暖房出力を強めなければならない。所望の値がエネルギー効率の良く到達できないと予測されるので、本発明に係るコントロールシステムは、この例では暖房器のスイッチを切ることになる。また、ユーザは、自分が以前に「エネルギー最適化」を選択した（あるいはエネルギー効率を少なくとも積極的に設定した）ので、暖房器のスイッチを切られたことで、自分の決定が覆されたとは思わないであろう。
【０１４５】
もしエネルギー効率の重み付けが小さく設定されていたなら（例えば５０％エネルギー効率で５０％時間効率優先）、シミュレーションは暖房器を動作させ続けることもできる。時間効率及び／又はエネルギー効率に関するユーザの設定を通じて、ユーザは、換気に伴うエネルギー損失を受け入れることができる。
【０１４６】
上に説明した例示的な実施形態及び／又は特徴を、所望により、他の特徴と組み合わせることができる。本発明は、上に説明した好ましい例示的な実施形態に限定されない。むしろ、本発明の概念を用いた種々の変形及び変更が可能であり、これら変形及び変更は本発明の保護の範囲内である。さらに、本発明はまた、引用している請求項の特徴を含んでいる従属請求項の保護をも主張するものである。
【符号の説明】
【０１４７】
１０…提供・収集ユニット
１０．１…サブユニット
１０．２…サブユニット
２０…決定・計算ユニット
２０．１…サブユニット
２０．２…サブユニット
３０…読取ユニット
【図１】
2013545071.tif 000003
【図２】
2013545071.tif 000004
【図３】
2013545071.tif 000005
【図４】
2013545071.tif 000006
【図５】
2013545071.tif 000007
【図６】
2013545071.tif 000008
【図７】
2013545071.tif 000009
【国際調査報告】
2013545071.tif 000010
2013545071.tif 000011
2013545071.tif 000012
2013545071.tif 000013
2013545071.tif 000014
2013545071.tif 000015
2013545071.tif 000016
2013545071.tif 000017
2013545071.tif 000018
2013545071.tif 000019